(57)【要約】【課題】  携帯端末を用いたテレビ装置のチャンネル切り替えにおいて、前回行ったチャンネル切り替え操作を簡略化して繰り返し再現できるようにすることを課題とする。【解決手段】  テレビ用リモコンを起動させた後、実際のカーソルキーが押下されると（ステップＫＳ１２）、画面上でソフトキーであるチャンネルキー間をカーソルが移動する（ステップＫＳ１６）。カーソルキーの操作の後、決定キーが操作され、さらに決定キーの操作が続くと（ステップＫＳ１７）、カーソルキーの操作がなくても最後の決定キーの操作だけで最初に操作したカーソルキーに応じたカーソル移動が行われ（ステップＫＳ１８）、つづいてそのカーソル位置で決定動作が実行される。すなわち、そのカーソル位置のチャンネルキーでチャンネル切り替えの赤外線送出が行われる（ステップＫＳ１９）。【選択図】  図５
2006140546.tif 000002
【特許請求の範囲】
【請求項１】
無線信号を用いてテレビ装置のチャンネルを切り替える出力手段、表示手段および入力手段を有した携帯端末のコンピュータにより実行可能なプログラムであって、
前記コンピュータに、
前記表示手段を用いて複数のチャンネルにそれぞれ対応するボタンを表示する第１ステップと、
前記入力手段の入力に応じて前記第１ステップで表示されるボタンの選択操作と決定操作のいずれかを受け付けて記憶する第２ステップと、
前記第２ステップで選択操作が受け付けられた場合、当該選択操作に応じて前記第１ステップで表示した複数のボタンのいずれか１つの位置をカーソル表示する第３ステップと、
前記第２ステップで決定操作が受け付けられた場合には、前記第２ステップで記憶された直前の操作を判断する第４ステップと、
前記第４ステップの判断で直前の操作が選択操作であった場合には、前記出力手段に対して前記第３ステップでカーソル表示されている位置のボタンに対応するチャンネルの切り替えを指示する第５ステップと、
前記第４ステップの判断で直前の操作が決定操作であった場合には、前記第２ステップで記憶された選択操作に応じて前記第３ステップを繰り返して実行し、その後、前記出力手段に対して前記第３ステップでカーソル表示されている位置のボタンに対応するチャンネルの切り替えを指示する第６ステップと、
を実行させることを特徴とするプログラム。
【請求項２】
携帯端末であって、
複数のチャンネルにそれぞれ対応するボタンを表示する表示手段と、
チャンネルを切り替えるための操作を入力する入力手段と、
前記入力手段の入力に応じて前記表示手段に表示されるボタンの選択操作と決定操作のいずれかを受け付けて記憶する記憶手段と、
前記入力手段で選択操作が受け付けられた場合、当該選択操作に応じて前記表示手段に表示した複数のボタンのいずれか１つの位置をカーソル表示するカーソル表示手段と、
前記入力手段で決定操作が受け付けられた場合には、前記記憶手段に記憶された直前の操作を判断する判断手段と、
前記判断手段の判断で直前の操作が選択操作であった場合には、前記カーソル表示手段でカーソル表示されている位置のボタンに対応するチャンネルに切り替える無線信号を出力し、一方、前記判断手段の判断で直前の操作が決定操作であった場合には、前記記憶手段に記憶された選択操作に応じて前記カーソル表示手段を繰り返して実行し、その後、前記カーソル表示手段でカーソル表示されている位置のボタンに対応するチャンネルに切り替える無線信号を出力する出力手段と、
を備えたことを特徴とする携帯端末。
【請求項３】
無線信号を用いてテレビ装置のチャンネルを切り替える出力手段、表示手段および入力手段を有した携帯端末を用いてテレビ装置のチャンネルを切り替えるチャンネル切り替え方法であって、
前記表示手段を用いて複数のチャンネルにそれぞれ対応するボタンを表示する第１ステップと、
前記入力手段の入力に応じて前記第１ステップで表示されるボタンの選択操作と決定操作のいずれかを受け付けて記憶する第２ステップと、
前記第２ステップで選択操作が受け付けられた場合、当該選択操作に応じて前記第１ステップで表示した複数のボタンのいずれか１つの位置をカーソル表示する第３ステップと、
前記第２ステップで決定操作が受け付けられた場合には、前記第２ステップで記憶された直前の操作を判断する第４ステップと、
前記第４ステップの判断で直前の操作が選択操作であった場合には、前記出力手段に対して前記第３ステップでカーソル表示されている位置のボタンに対応するチャンネルの切り替えを指示する第５ステップと、
前記第４ステップの判断で直前の操作が決定操作であった場合には、前記第２ステップで記憶された選択操作に応じて前記第３ステップを繰り返して実行し、その後、前記出力手段に対して前記第３ステップでカーソル表示されている位置のボタンに対応するチャンネルの切り替えを指示する第６ステップと、
を含んだことを特徴とするチャンネル切り替え方法。
【発明の詳細な説明】
【技術分野】
【０００１】
本発明は、たとえば、携帯端末を用いてテレビ装置のチャンネル切り替えを行うためのプログラム、携帯端末およびチャンネル切り替え方法に関する。
【背景技術】
【０００２】
従来、携帯電話機をリモコンとして利用する方法や（たとえば、特許文献１）、配信センタからリモコンコード等を受信して携帯電話機をリモコンとして利用するシステムや（たとえば、特許文献２）、利用する家電機器のメーカーのリモコンコードを対応するリモコンコード設定サーバから受信して携帯電話機をリモコンとして利用するシステムが知られている（たとえば、特許文献３）。
【０００３】
また、入力がなされる文字を表示する表示画面上に、選択可能な文字を示す文字配列表及びこの文字配列表のいずれかの文字を選択指示可能な指示カーソルを表示し、カーソル移動キーにより文字配列表に含まれる文字のいずれかに指示カーソルを移動させ、確定キーによりその指示カーソルにより選択指示された文字配列表に含まれる文字の選択を確定させ、確定キーにより確定された文字配列表中の文字を入力された文字として表示画面上に表示するシステムが知られている（たとえば、特許文献４）。
【０００４】
また、今日、携帯電話において、図７（Ａ）および（Ｂ）のように、インストール済みのテレビ用リモコンアプリケーションを起動させてディスプレイにリモコン操作画面を表示させ、その画面上に表示されるソフトキー群１０１の各ソフトキーに対して実際のキー群２０１の各キーを対応させ、そのキー操作を受け付けてソフトキーの機能を実行させるものが登場している。この場合、たとえばチャンネル“１”に切り替えるためのソフトキー１０２がキー２０２に対応しているとした場合、チャンネル“１”に切り替えるために実際のキー２０２を操作すればよい。これにより、携帯電話よりチャンネル“１”に切り替えるための無線信号を送出させることができる。
【特許文献１】特開２００３−２６４６１２号公報
【特許文献２】特開２００１−２８５９４５号公報
【特許文献３】特開２００２−２０４２９２号公報
【特許文献４】特開２００３−５８３０５号公報
【発明の開示】
【発明が解決しようとする課題】
【０００５】
しかしながら、上述したテレビ用リモコンアプリケーションにおいては、画面上のソフトキーと実際のキーの対応関係を確認しながら実際のキーを特定して操作しなければならず、操作が煩わしいという問題があった。また特許文献４においては、カーソル移動によって所望のキー位置までカーソルを移動させる必要があった。それゆえ、ユーザが前回の操作と同じ操作を繰り返す場合、カーソルキーと確定キーの組み合わせによる同じ操作を再度繰り返えさなければならず、ユーザにとって操作性の面で効率が悪いという問題があった。
【０００６】
本発明の目的は、携帯端末を用いたテレビ装置のチャンネル切り替えにおいて、前回行ったチャンネル切り替え操作を簡略化して繰り返し再現させることで操作の効率化を図ったプログラム、携帯端末およびチャンネル切り替え方法を提供することを目的とする。
【課題を解決するための手段】
【０００７】
上述した課題を解決し、上記目的を達成するため、請求項１の発明に係るプログラムは、無線信号を用いてテレビ装置のチャンネルを切り替える出力手段、表示手段および入力手段を有した携帯端末のコンピュータにより実行可能なプログラムであって、前記コンピュータに、前記表示手段を用いて複数のチャンネルにそれぞれ対応するボタンを表示する第１ステップと、前記入力手段の入力に応じて前記第１ステップで表示されるボタンの選択操作と決定操作のいずれかを受け付けて記憶する第２ステップと、前記第２ステップで選択操作が受け付けられた場合、当該選択操作に応じて前記第１ステップで表示した複数のボタンのいずれか１つの位置をカーソル表示する第３ステップと、前記第２ステップで決定操作が受け付けられた場合には、前記第２ステップで記憶された直前の操作を判断する第４ステップと、前記第４ステップの判断で直前の操作が選択操作であった場合には、前記出力手段に対して前記第３ステップでカーソル表示されている位置のボタンに対応するチャンネルの切り替えを指示する第５ステップと、前記第４ステップの判断で直前の操作が決定操作であった場合には、前記第２ステップで記憶された選択操作に応じて前記第３ステップを繰り返して実行し、その後、前記出力手段に対して前記第３ステップでカーソル表示されている位置のボタンに対応するチャンネルの切り替えを指示する第６ステップと、を実行させることを特徴とするものである。
【０００８】
また、請求項２の発明に係る携帯端末は、携帯端末であって、複数のチャンネルにそれぞれ対応するボタンを表示する表示手段と、チャンネルを切り替えるための操作を入力する入力手段と、前記入力手段の入力に応じて前記表示手段に表示されるボタンの選択操作と決定操作のいずれかを受け付けて記憶する記憶手段と、前記入力手段で選択操作が受け付けられた場合、当該選択操作に応じて前記表示手段に表示した複数のボタンのいずれか１つの位置をカーソル表示するカーソル表示手段と、前記入力手段で決定操作が受け付けられた場合には、前記記憶手段に記憶された直前の操作を判断する判断手段と、前記判断手段の判断で直前の操作が選択操作であった場合には、前記カーソル表示手段でカーソル表示されている位置のボタンに対応するチャンネルに切り替える無線信号を出力し、一方、前記判断手段の判断で直前の操作が決定操作であった場合には、前記記憶手段に記憶された選択操作に応じて前記カーソル表示手段を繰り返して実行し、その後、前記カーソル表示手段でカーソル表示されている位置のボタンに対応するチャンネルに切り替える無線信号を出力する出力手段と、を備えたことを特徴とするものである。
【０００９】
また、請求項３の発明に係るチャンネル切り替え方法は、無線信号を用いてテレビ装置のチャンネルを切り替える出力手段、表示手段および入力手段を有した携帯端末を用いてテレビ装置のチャンネルを切り替えるチャンネル切り替え方法であって、前記表示手段を用いて複数のチャンネルにそれぞれ対応するボタンを表示する第１ステップと、前記入力手段の入力に応じて前記第１ステップで表示されるボタンの選択操作と決定操作のいずれかを受け付けて記憶する第２ステップと、前記第２ステップで選択操作が受け付けられた場合、当該選択操作に応じて前記第１ステップで表示した複数のボタンのいずれか１つの位置をカーソル表示する第３ステップと、前記第２ステップで決定操作が受け付けられた場合には、前記第２ステップで記憶された直前の操作を判断する第４ステップと、前記第４ステップの判断で直前の操作が選択操作であった場合には、前記出力手段に対して前記第３ステップでカーソル表示されている位置のボタンに対応するチャンネルの切り替えを指示する第５ステップと、前記第４ステップの判断で直前の操作が決定操作であった場合には、前記第２ステップで記憶された選択操作に応じて前記第３ステップを繰り返して実行し、その後、前記出力手段に対して前記第３ステップでカーソル表示されている位置のボタンに対応するチャンネルの切り替えを指示する第６ステップと、を含んだことを特徴とするものである。
【発明の効果】
【００１０】
以上説明したように本発明によれば、携帯端末を用いたテレビ装置のチャンネル切り替えにおいて、前回行ったチャンネル切り替え操作を簡略化して繰り返し再現させることで操作の効率化を図ったプログラム、携帯端末およびチャンネル切り替え方法を得られるという効果を奏する。
【発明を実施するための最良の形態】
【００１１】
以下、添付図面を参照して本発明に係る一実施の形態について詳述する。図１は、本発明の一実施の形態によるリモコンシステムの一構成例を示すブロック図であり、図２は本実施の形態による携帯端末の一構成例を示すブロック図である。
【００１２】
たとえば図１において、このリモコンシステム１は、ネットワークであるインターネット２を利用して構築されている。このインターネット２上には、サーバ３が設けられており、該サーバ３には、インターネット２上に接続される移動体通信網に設けられた基地局４を介して、携帯端末である携帯電話機５が無線接続できるように構成されている。
【００１３】
サーバ３は、データを記憶する記憶領域を備えており、その記憶領域には、プログラムを記憶するためのプログラム記憶領域と、データを記憶するためのデータ記憶領域とが形成されている。このサーバ３は、通信機能を備えており、プログラム領域に記憶されたＷｅｂサーバープログラムに従って作動することにより、携帯電話機５とネットワークを介して通信ができるように構成されている。
【００１４】
データ記憶領域は、携帯電話機５で作動する複数のアプリケーションプログラムを記憶する領域の他に、データベース１１を備えてなり、該データベース１１には、後述するテレビ用リモコンアプリケーション等のプログラムに加えて、当該リモコンアプリケーションプログラムにて操作対象とする電化製品（テレビ、ビデオデッキ、ＤＶＤプレイヤ、エアコンなど）の名称と、その電化製品をリモコン操作する際に必要な「電源オン／オフ」、「チャンネル切り替え」、「録画予約」、「温度」などのコマンド信号とが記憶されている。
【００１５】
携帯電話機５は、たとえば図２に示すように、ＣＰＵ２１（マイクロコンピュータ）を中心に構成されている。このＣＰＵ２１には、ＲＯＭ２２及びＲＡＭ２３が接続されており、ＲＯＭ２２に記憶されたプログラムに従ってＣＰＵ２１を動作するように構成されている。また、ＲＡＭ２３には、選択的に実行されるアプリケーションプログラムを記憶するプログラムエリアと、アプリケーションプログラム実行時に必要となるデータや処理過程でのデータを記憶するデータエリアとが確保されている。本実施の形態において、ＲＡＭ２３は、テレビ用リモコンアプリケーション２３ａ、そのアプリケーション実行時にデータ、パラメータ、カーソルのポインタ等を記憶するワークエリア２３ｂを備えている。
【００１６】
ＣＰＵ２１には、インターネット２上に設けられた基地局４と無線通信する為の通信部３１が接続されており、データ通信機能を備えている。これにより、ＲＯＭ２２又はＲＡＭ２３に記憶されたＷｅｂブラウザプログラムを作動することで、インターネット２を経由してデータサーバ１１と交信できるように構成されている。
【００１７】
また、ＣＰＵ２１には、図１及び図２に示したように、たとえば液晶パネルを備えた表示部４２と、数字ボタン４３，・・・やカーソルキー４４や決定キー４５等からなる入力部４６とが接続されており、入力操作及び画面表示ができるように構成されている。これにより、この携帯電話機５は、インターネット２を経由してサーバ３に接続し、サーバ３に構築されたサイト（ホームページ）にアクセスして、当該サイトを利用できるように構成されている。
【００１８】
そして、ＣＰＵ２１には、赤外線通信部５１が接続されており、赤外線通信部５１に接続された送受信部５２から赤外線５３を送受信して他の携帯電話機やパソコンと通信する機能を備えている。この送受信部５２は、電化製品であるテレビ装置５４等をリモコン操作する為のコマンド信号を赤外線５３に乗せて送出できるように構成されており、リモコンを成立させるためのハードウェアを具備している。たとえば、テレビ用リモコンアプリケーションを起動させた場合には、送受信部５２においては、ＣＰＵ２１の制御により、入力部４６への操作入力に応じて該当するチャンネルに切り替えるための赤外線を送出することができる。
【００１９】
以上の構成にかかる本実施の形態の動作を図３を用いて説明する。図３は本実施の形態によるリモコンアプリケーションのダウンロード手順について説明するフローチャートである。なお、本実施の形態では、テレビ用リモコンアプリケーション２３ａをサーバ３からダウンロードするところから説明する。また、このテレビ用リモコンアプリケーションやＷｅｂブラウザプログラム等は、図外の着脱式の記憶媒体であるメモリカードから読み出してＲＡＭ２３に記憶することで、ＣＰＵ２１で実行できるようにも構成されてもよい。
【００２０】
図３において、リモコンシステム１を利用してテレビ装置５４やビデオデッキやＤＶＤプレイヤやエアコンなどの電化製品をリモコン操作する前に、プリインストールされていないアプリケーションについては、携帯電話機５を利用してサーバ３に構築されたサイトにアクセスし、当該サイトで紹介されたリモコンアプリケーションから所望のアプリケーションをダウンロードする必要がある。
【００２１】
そこで、携帯電話機５からサーバ３に対して所望のアプリケーションについてダウンロードが要求されると（ＫＳ１）、サーバ３は、データベース１１に記憶されたリモコンアプリケーションを送信要求元の携帯電話機５へ送信する（ＤＳ１）。これを受信（ダウンロード）した携帯電話機５では、受信したリモコンアプリケーションを実行できる形態でＲＡＭ２３に確保されたプログラムエリアに記憶して保存する（ＫＳ２）。このようにして、テレビ用リモコンアプリケーション２３ａがＲＡＭ２３に格納されることになる。
【００２２】
つづいて、携帯電話機５は、リモコンアプリケーション実行時に必要となるデータの送信をデータサーバ３に対して要求する（ＫＳ３）。データサーバ３は、この送信要求に応答して、操作対象とする電化製品の名称（たとえばテレビ、ビデオデッキ、ＤＶＤプレイヤ、エアコンなどと、その電化製品をリモコン操作する際に必要な「電源オン／オフ」、「チャンネル切り替え」、「録画予約」、「温度」などのコマンド信号とを、送信要求した携帯電話機５へ送信する（ＤＳ２）。
【００２３】
携帯端末５では、サーバ３から受信した電化製品の名称（たとえばテレビ、ビデオデッキ、ＤＶＤプレイヤ、エアコンなどと、その電化製品をリモコン操作する際に必要な「電源オン／オフ」、「チャンネル切り替え」、「録画予約」、「温度」などのコマンド信号とをＲＡＭ２３のデータエリアに記憶して保存する（ＫＳ４）。
【００２４】
なお、これらの必要データは、データベース１１にて常時更新されており、携帯電話機５をサーバ３に接続することによって、これらの必要データを、何時でも更新・変更可能である。
【００２５】
後にＲＡＭ２３に記憶されたテレビ用リモコンアプリケーションが選択されると、図５の処理が実行される。以下、図４、図５および図６を用いてテレビ用リモコンアプリケーションに基づく動作を説明する。図４は本実施の形態によるリモコン起動時の画面遷移を説明する図、図５は本実施の形態によるリモコン動作を説明するフローチャート、そして、図６は本実施の形態によるリモコン操作時の記憶内容を説明する図である。
【００２６】
まず、テレビ用リモコンアプリケーション２３ａが起動されると、たとえば図４（Ａ）のように、初期画面が形成され、図５のように、まずキー操作が受け付けられる（ステップＫＳ１１）。初期画面では、ソフトキーとして、図４の上方より下方に向かって電源キー９４、チャンネルキー８１〜８７が配列され、その配列に並ぶように音量キー９１，９２が表示される。
【００２７】
チャンネルキー８１，８２，８３，８４，８５，８６，８７は、それぞれチャンネル“１”，“３”，“４”，“６”，“８”，“１０”，“１２”にチャンネル切り替えをするためのソフトキーである。電源キー９４は、テレビ装置５４の電源オン・オフを操作するためのソフトキーである。音量キー９１，９２は、それぞれ音量を段階的に減少させたり増大させるためのソフトキーである。
【００２８】
初期画面が形成された後、カーソルＣＳＬの初期位置は、たとえば図４（Ｂ）に示したように、チャンネル“１”対応のチャンネルキー８１の位置とする。このカーソルＣＳＬは、カーソルキー４４の上下左右へのそれぞれの押下操作に応じて上下左右にそれぞれ移動させられる。また、カーソルＣＳＬの移動先において、決定キー４５が操作された場合には、その時点でカーソルＣＳＬが位置するキーを有効に機能させることになる。
【００２９】
カーソルＣＳＬがこの初期位置にあり、この段階でカーソルキー４４がたとえば図４（Ｃ）に示したように下方指示を操作された場合、キー操作が受け付けられ（ステップＫＳ１１のＹＥＳルート）、カーソルキー４４の操作が判断される（ステップＫＳ１２のＹＥＳルート）。この場合、その押下されたカーソルキー４４のカーソル情報がワークエリア２３ｂの第１記憶領域に保存される（ステップＫＳ１３）。カーソル情報には、操作キー、操作方向、その他がある。ここでは、操作キーは「カーソル」となり、操作方向は「下」となる。なお、ワークエリア２３においては、その他の情報としてカーソルのポインタ情報（移動先）などが記憶される。
【００３０】
そして、この操作は決定キーに対して実施されたものではないので（ステップＫＳ１４のＮＯルート）、処理は終了キーかどうかの判断を経て（ステップＫＳ１５のＮＯルート）、操作されたカーソルキー４４の動作とその動作に応じてカーソルＣＳＬの表示位置を移動させる（ステップＫＳ１６）。
【００３１】
このとき、図４（Ｃ）に示したように、カーソルＣＳＬの位置はチャンネルキー８１から８２へ移動される。このようにして押下されたカーソルキー４４のカーソル情報が今度はワークエリア２３ｂの第２記憶領域に保存される（図６(Ａ)参照）。そして、つぎのキー操作が再び入力待ちとなる（ステップＫＳ１１）。
【００３２】
以下、同様に、再びカーソルキー４４により下方への操作が行われた場合には、上述した動作が繰り返し実行されるので、保存内容で相違するものはカーソルＣＳＬのポインタなどになる。この場合、図４（Ｄ）に示したように、カーソルＣＳＬの位置はチャンネルキー８２から８３へ移動される。
【００３３】
さらに決定キー４５が操作された場合には、キー操作があり（ステップＫＳ１１のＹＥＳルート）、カーソルキー４４の操作は確認されず（ステップＫＳ１２のＮＯルート）、決定キー４５の操作が確認される（ステップＫＳ１４）。この場合は、前述した第１記憶領域の更新は実行されないものとする。
【００３４】
決定キー４５の操作が確認されると（ステップＫＳ１４のＹＥＳルート）、その直前（ひとつ前）のキー操作が決定キーかどうかを判断するために第２記憶領域の操作キーが確認される。ここでは、操作キーとしてカーソルキーの種別が保存されているので、決定キーではないという判断が下される（ステップＫＳ１７のＮＯルート）。したがって、ワークエリアに保存されているポインタが参照され、そのカーソルＣＳＬ位置のチャンネルキー８３が有効に機能される。すなわち、チャンネルキー８３が示すチャンネル“４”への切り替え信号送出が赤外線通信部５１より処理される（ステップＫＳ１９）。この後、第２記憶領域には、図６（Ｂ）に示したように、今回押下されたキーとして決定キーが操作キーとして保存される（ステップＫＳ２０）。
【００３５】
この後、再び決定キー４５が操作されると、その直前の入力操作が決定キーかどうかの判断がなされる（ステップＫＳ１７）。この場合、直前すなわち一つ前の入力操作は第２記憶領域（図６（Ｂ）参照）にその種別が保存されているように決定キーであることがわかる（ステップＫＳ１７のＹＥＳルート）。したがって、この場合には、第１記憶領域（図６（Ｂ）参照）に保存されているカーソル動作情報が参照され、その動作情報に基づいてカーソルＣＳＬは下方にひとつ移動させられる。その結果、カーソルＣＳＬの表示位置は、図４（Ｅ）に示すように、チャンネルキー８３から８４へ移動される。
【００３６】
そして、ワークエリアに保存されている現カーソルＣＳＫ位置のポインタが参照され、そのカーソルＣＳＬ位置のチャンネルキー８４が有効に機能される。すなわち、チャンネルキー８４が示すチャンネル“６”への切り替え信号送出が赤外線通信部５１より処理される（ステップＫＳ１９）。この後、第２記憶領域には、図６（Ｂ）に示したように、今回押下されたキーとして決定キーが操作キーとして保存される（ステップＫＳ２０）。これにより、前回操作したカーソルキーと決定キーの組み合わせが決定キー４５の一回の操作で済むことになる。ユーザはチャンネルを順次切り替えて各番組の内容を確認しながら決定しようする場合には、決定キー４５を繰り返して押下すればよいので、操作効率が向上する。
【００３７】
また、ここでさらにカーソルキー４４が操作された場合には、ステップＫＳ１３においてカーソルキー４４の操作に基づく動作情報が保存され、ステップＫＳ１６によりそのカーソルキー４４の処理が実行される。そして、第２記憶領域がカーソルキー４４の動作情報に更新される。その結果、図４（Ｆ）に示したように、カーソルＣＳＬがチャンネルキー８４からチャンネルキー８５に移動させられる。このように、カーソル移動のみが実行されることになる。
【００３８】
以上説明したように本実施の形態によれば、携帯端末を用いたテレビ装置のチャンネル切り替えにおいて、前回行ったチャンネル切り替え操作を簡略化して繰り返し再現させることが可能である。その結果、操作の効率化が図られ、利用者の利便性を向上させることが可能である。
【００３９】
また、本記実施の形態では、携帯電話について説明したが、携帯端末であれば、ＰＤＡでもＰＨＳ(Personal Handy-Phone System)でも勿論可能である。さらに、テレビ受信機に付属するリモコンでも勿論実現可能である。
【００４０】
また、上述した実施の形態では、携帯電話を例に挙げていたが、本発明はこれに限定されるものではなく、ＰＤＡ(Personal Digital Assistant)等の携帯端末、ネットワークに接続可能な通信機能付きリモコン端末でもよい。
【産業上の利用可能性】
【００４１】
本発明は、プログラム、携帯端末およびチャンネル切り替え方法を製造する産業で利用される。
【図面の簡単な説明】
【００４２】
【図１】本発明の一実施の形態によるリモコンシステムを示すブロック図である。
【図２】本実施の形態による携帯電話機の一構成例を示すブロック図である。
【図３】本実施の形態による動作の一例を説明するフローチャートである。
【図４】本実施の形態によるリモコン起動時の画面遷移を説明する図である。
【図５】本実施の形態による動作の一例を説明するフローチャートである。
【図６】本実施の形態による記憶内容を説明する図である。
【図７】従来のリモコン画面の一例を示す説明図である。
【符号の説明】
【００４３】
１    リモコンシステム
３    サーバ
５    携帯電話機
４１  表示部
４４  カーソルキー
４５  決定キー
５１  赤外線通信部
５２  送受信部
５４  テレビ装置
８１〜８７  チャンネルキー
９１，９２  音量キー
９４  電源キー
【図１】
2006140546.tif 000003
【図２】
2006140546.tif 000004
【図３】
2006140546.tif 000005
【図４】
2006140546.tif 000006
【図５】
2006140546.tif 000007
【図６】
2006140546.tif 000008
【図７】
2006140546.tif 000009